(57)【要約】  建材に裏板を接合したときに生ずる溶接痕等の接合痕を消すための作業を不要にできる。ドアのための建材用部品である蝶番（１０）の枠側羽根板（１１）は、ドアで開閉される開口部用の建材となっている側枠部材（５）の表面に配置され、側枠部材（５）の裏面（５Ｂ）には、枠側羽根板（１１）と対面する裏板（２０）が配置される。裏板（２０）は側枠部材（５）の裏面（５Ｂ）に、接合部である溶接部（３２）で接合され、側枠部材（５）を貫通する結合具であるビスにより、枠側羽根板（１１）は側枠部材（５）に裏板（２０）で補強されて結合される。裏板（２０）には、枠側羽根板（１１）の外輪郭（１４）よりも内側において、接合可能部である溶接可能部が切除部（２１）の先端部（２２）として設けられ、この先端部（２２）での溶接による溶接部（３２）のために側枠部材（５）の表面に溶接痕が表われても、この溶接痕は枠側羽根板（１１）で隠される。
2013146209.tif 000002
【特許請求の範囲】
【請求項１】
建材の表裏両面のうち、一方の面に配置される建材用部品と対面して他方の面に配置される建材用裏板であって、前記建材に接合されるとともに、前記建材を貫通する結合具により、前記建材用部品を前記建材に補強して結合するための建材用裏板において、
前記建材用部品の外輪郭よりも内側において、前記建材に接合が可能となっている接合可能部が設けられていることを特徴とする建材用裏板。
【請求項２】
請求項１に記載の建材用裏板において、前記接合可能部は溶接可能部であることを特徴とする建材用裏板。
【請求項３】
請求項２に記載の建材用裏板において、前記溶接可能部は、アーク溶接で用いられる溶接棒又は溶接ワイヤの先端部を係止可能の部分となっていることを特徴とする建材用裏板。
【請求項４】
請求項２に記載の建材用裏板において、前記結合具を挿入するための孔が形成されているとともに、この孔は少なくとも２個あり、これらの孔から等しい又は略等しい距離に前記溶接可能部が設けられていることを特徴とする建材用裏板。
【請求項５】
請求項２に記載の建材用裏板において、一部に切除部を有し、前記溶接可能部は、アーク溶接による溶接可能部となっており、前記切除部のうち、少なくとも一部が、前記溶接可能部となっていることを特徴とする建材用裏板。
【請求項６】
請求項５に記載の建材用裏板において、前記切除部は、外輪郭を形成していて互いに隣接している２個の辺部からこの外輪郭の内側へ侵入することによって形成された部分となっていることを特徴とする建材用裏板構造。
【請求項７】
請求項５に記載の建材用裏板において、前記切除部は、外輪郭を形成している１個の辺部からこの外輪郭の内側へ侵入することによって形成された部分となっていることを特徴とする建材用裏板。
【請求項８】
請求項５に記載の建材用裏板において、前記切除部は、外輪郭よりも内側に形成された孔となっていることを特徴とする建材用裏板。
【請求項９】
請求項５に記載の建材用裏板において、前記切除部は少なくとも２個あり、これらの切除部は、前記アーク溶接で用いられる溶接棒又は溶接ワイヤの先端部をスライドさせてこの先端部を前記溶接可能部まで案内する案内部を有し、これらの案内部は、同じ又は略同じ方向に直線状又は略直線状に延びて前記溶接可能部まで達するものとなっていることを特徴とする建材用裏板。
【請求項１０】
請求項５に記載の建材用裏板において、板金の打ち抜き加工で製造され、前記切除部は、前記板金の打ち抜き加工時に、この打ち抜き加工により形成されていることを特徴とする建材用裏板。
【請求項１１】
請求項２に記載の建材用裏板において、前記溶接可能部は、スポット溶接による溶接可能部であることを特徴とする建材用裏板。
【請求項１２】
請求項１に記載の建材用裏板において、前記結合具を貫通させるための貫通孔が形成され、前記建材側とは反対側の面には覆い部材が配置され、この覆い部材は、前記貫通孔を覆っていることを特徴する建材用裏板。
【請求項１３】
請求項１２に記載の建材用裏板において、前記建材の前記他方の面は、充填材が充填される空間を形成する面となっていることを特徴する建材用裏板。
【請求項１４】
請求項１２に記載の建材用裏板において、前記建材に溶接により接合され、この接合のための前記溶接によって前記覆い部材が前記反対側の面に結合されていることを特徴する建材用裏板。
【請求項１５】
請求項１２に記載の建材用裏板において、前記建材に溶接により接合され、この接合のための溶接作業の前に予め前記覆い部材は前記反対側の面に固定され、この覆い部材は、前記接合可能部となっている溶接可能部から外れた位置に配置されていることを特徴する建材用裏板。
【請求項１６】
請求項１に記載の建材用裏板において、前記建材用部品は蝶番であることを特徴とする建材用裏板。
【請求項１７】
建材の表裏両面のうち、一方の面に建材用部品が配置されていて他方の面に裏板が前記建材用部品と対面して配置され、前記裏板が前記建材に接合されているとともに、前記建材を貫通する結合具により、前記建材用部品が前記建材に前記裏板で補強されて結合されている建材用裏板構造において、
前記建材を介して前記建材用部品と対面している前記裏板には、この建材用部品の外輪郭よりも内側において、前記建材に接合が可能となっている接合可能部が設けられ、この接合可能部で前記裏板が前記建材に接合されていることを特徴とする建材用裏板構造。
【請求項１８】
請求項１７に記載の建材用裏板構造において、前記接合可能部は溶接可能部であることを特徴とする建材用裏板構造。
【請求項１９】
請求項１８に記載の建材用裏板構造において、前記建材は他の建材と溶接で接合され、前記溶接可能部は、前記建材と前記他の建材とを接合するための前記溶接と同じ種類の溶接による溶接可能部となっていることを特徴とする建材用裏板構造。
【請求項２０】
請求項１７に記載の建材用裏板構造において、前記裏板と前記建材には、前記裏板が前記建材に接合されるときに、前記裏板を前記建材に対して位置決めするための位置決め部が設けられていることを特徴とする建材用裏板構造。
【請求項２１】
請求項１７に記載の建材用裏板構造において、前記裏板が配置される前記建材の前記他方の面は充填材が充填される空間を形成する面となっており、前記裏板には、前記結合具を貫通させるための貫通孔が形成され、前記裏板における前記建材側とは反対側の面に前記貫通孔を覆うための覆い部材が固定されていることを特徴とする建材用裏板構造。
【請求項２２】
請求項２１に記載の建材用裏板構造において、前記裏板が前記建材に接合される前に、前記裏板における前記建材側とは反対側の面に前記覆い部材が固定され、この覆い部材は、前記裏板における前記接合可能部となっている溶接可能部を覆う部分を有していないことを特徴とする建材用裏板構造。
【請求項２３】
請求項１７に記載の建材用裏板構造において、前記建材用部品は蝶番であることを特徴とする建材用裏板構造。
【発明の詳細な説明】
【技術分野】
【０００１】
本発明は、建材用部品を建材に補強して結合するための建材用裏板及び建材用裏板構造に係り、例えば、ドアを開口部用枠部材に開閉自在に取り付けるために用いる蝶番等の建材用部品のために利用できるものである。
【背景技術】
【０００２】
玄関ドアは、この玄関ドアで開閉される開口部を形成するための建材となっている枠部材に蝶番によって開閉自在に取り付けられ、建材用部品であるこの蝶番は、ドアに結合されるドア側羽根板と、枠部材に結合される枠側羽根板とを有し、枠側羽根板は、枠部材の表裏両面のうち、表面に結合される。そして、下記の特許文献１に示されているように、枠部材の裏面には、枠部材を介して枠側羽根板と対面する裏板が配置され、枠側羽根板は、枠部材を貫通する結合具により枠部材に結合され、この結合は、裏板により補強されて行われる。
【特許文献１】特開平８−２５４０６０号公報
【発明の開示】
【発明が解決しようとする課題】
【０００３】
作業の効率化及び作業の容易化を図るために、裏板を枠部材に配置する作業は、玄関ドアの施工現場ではなく、予め工場で行われることがある。このように予め工場で裏板を枠部材に配置する際には、裏板の外輪郭の一部を溶接により枠部材の裏面に接合することが行われることがある。【０００４】
裏板の大きさ及び形状は、この裏板と枠部材を介して対面する枠側羽根板と同じ又は略同じであり、言い換えると、裏板の外輪郭は、この裏板と枠部材を介して対面する枠側羽根板の外輪郭と同じ又は略同じになっている。このため、従来では、裏板の外輪郭の一部を溶接により枠部材の裏面に接合すると、この溶接痕が、薄板で形成されている枠部材の表面に表われてしまい、この溶接痕を消すために、研磨具等の工具で枠部材の表面を仕上げるなどの作業が行われている。【０００５】
本発明の目的は、建材に裏板を接合したときに生ずる溶接痕等の接合痕を消すための作業を不要にできるようになる建材用裏板及び建材用裏板構造を提供するところにある。
【課題を解決するための手段】
【０００６】
本発明に係る建材用裏板は、建材の表裏両面のうち、一方の面に配置される建材用部品と対面して他方の面に配置される建材用裏板であって、前記建材に接合されるとともに、前記建材を貫通する結合具により、前記建材用部品を前記建材に補強して結合するための建材用裏板において、前記建材用部品の外輪郭よりも内側において、前記建材に接合が可能となっている接合可能部が設けられていることを特徴とするものである。【０００７】
この建材用裏板によると、建材用部品と建材を介して対面する裏板には、この建材用部品の外輪郭よりも内側において、建材に接合が可能となっている接合可能部が設けられており、この接合可能部で裏板が建材に接合されるため、接合痕が、建材用部品の配置が行われる建材の上述した一方の面に表われても、この接合痕を建材用部品によって隠すことができ、このため、接合痕を消すための作業を不要にでき、これにより、作業性を大きく改善することができる。【０００８】
なお、本発明に係る建材用裏板において、接合痕を建材用部品によって隠すことは、建材の上述した一方の面に表われる接合痕の全体を建材用部品によって隠すこととすることが好ましいが、接合痕の一部が建材用部品から露出しても、この露出した大きさが上述の消すための作業を行う必要のない程度のものである場合には、接合痕の全体ではなく、接合痕の略全体等を建材用部品によって隠してもよい。【０００９】
本発明に係る建材用裏板において、接合可能部は、溶接可能部でもよく、接着剤又は粘着剤による接着又は粘着可能部でもよい。【００１０】
また、溶接可能部は、アーク溶接による溶接可能部でもよく、スポット溶接よる溶接可能部でもよく、ガス溶接による溶接可能部でもよい。【００１１】
そして、溶接可能部をアーク溶接による溶接可能部とする場合には、この溶接可能部を、アーク溶接で用いられる溶接棒又は溶接ワイヤの先端部が係止可能となっている部分とすることが好ましい。【００１２】
これによると、アーク溶接の溶接棒又は溶接ワイヤの先端部を溶接可能部で係止させた状態で、裏板を建材にアーク溶接により接合でき、これにより、溶接棒又は溶接ワイヤの先端部が滑ることが防止できるため、アーク溶接による裏板の建材への接合作業を容易に行えるようになる。【００１３】
また、接合可能部を溶接可能部とする場合であって、裏板に前述の結合具を挿入するための孔を形成するとともに、この孔の個数が少なくとも２個である場合には、これらの孔から等しい又は略等しい距離に溶接可能部を設けることが好ましい。【００１４】
これによると、裏板を建材に溶接可能部での溶接により接合したときに、少なくとも２個の孔のうち、一方の孔が溶接熱で変形等して結合具の挿入が困難になることを防止でき、それぞれの孔に結合具を所定どおり挿入できることになる。【００１５】
また、溶接可能部をアーク溶接による溶接可能部とする場合には、裏板の一部に切除部を設け、この切除部のうち、少なくとも一部をアーク溶接による溶接可能部とすることができる。【００１６】
そして、このように裏板の一部に切除部を設けることは各種の態様によって行うことができる。その第１番目の例は、裏板の外輪郭を形成していて互いに隣接している２個の辺部からこの裏板の外輪郭の内側へ侵入する部分を形成し、この部分を切除部とすることである。第２番目の例は、裏板の外輪郭を形成している１個の辺部からこの裏板の外輪郭の内側へ侵入する部分を形成し、この部分を切除部とすることである。第３番目の例は、裏板の外輪郭よりも内側に孔を形成し、この孔を切除部とすることである。【００１７】
また、切除部を少なくとも２個設ける場合には、これらの切除部を、アーク溶接で用いられる溶接棒又は溶接ワイヤの先端部をスライドさせてこの先端部を溶接可能部まで案内する案内部を有するものとし、これらの案内部を、同じ又は略同じ方向に直線状又は略直線状に延びて溶接可能部まで達するものとすることが好ましい。【００１８】
これによると、切除部ごとに設けられている溶接可能部で裏板を建材にアーク溶接で接合するために、アーク溶接で用いられる溶接棒又は溶接ワイヤの先端部を、切除部のそれぞれの案内部でスライドさせて溶接可能部まで案内するとき、これらの案内部は、同じ又は略同じ方向に直線状又は略直線状に延びて溶接可能部まで達するものとなっているため、溶接棒又は溶接ワイヤの先端部を、案内部の案内作用により、同じ又は略同じ方向に直線状又は略直線状にスライドさせて溶接可能部まで到達させることができることになり、これにより、溶接棒又は溶接ワイヤの先端部を溶接可能部まで到達させる作業を容易に行える。【００１９】
なお、本発明において、切除部は、裏板の外観上、切除されているとは見えない部分でもよい。すなわち、裏板に切除部を設けるために、裏板の左右や上下の長さを短くし、これにより、例えば、全体形状が四角形等となっている裏板の１個又は複数個の辺部が、この裏板と建材を介して対面する建材用部品の外輪郭よりも内側に入るようにしてもよく、また、裏板の全体の大きさを、この裏板と建材を介して対面する建材用部品よりも小さくし、これにより、裏板の全体を建材用部品の外輪郭の内側に配置してもよい。【００２０】
さらに、本発明に係る裏板が板金の打ち抜き加工で製造されるものである場合には、切除部を、裏板を板金の打ち抜き加工で製造するときに、この打ち抜き加工により形成してもよい。【００２１】
これによると、裏板を板金の打ち抜き加工で製造するときに、切除部を裏板に同時に形成することができるため、切除部を有する裏板を効率的に製造できることになる。【００２２】
また、裏板に前述した結合具を貫通させるための貫通孔が形成される場合には、裏板の建材側とは反対側の面に覆い部材を配置し、この覆い部材により貫通孔を覆うようにしてもよい。【００２３】
これによると、裏板に形成された貫通孔を覆い部材により、例えば、外力等から保護することができる。【００２４】
また、裏板が配置される建材の前述した他方の面が、充填材が充填される空間を形成する面となっている場合には、貫通孔に充填材が侵入することでこの貫通孔に前述の結合具を挿入、貫通させることが不可能又は困難になることを、覆い部材によって防止することができる。【００２５】
さらに、本発明に係る裏板が建材に溶接により接合される場合には、この接合のための溶接によって覆い部材を裏板の上述の反対側の面に結合するようにしてもよい。【００２６】
これによると、裏板を建材に接合するための溶接により、覆い部材を裏板に結合することができるため、溶接作業の兼用化を図ることができる。【００２７】
また、裏板が建材に溶接によって接合され、この接合のための溶接作業の前に、予め覆い部材を裏板の前述した反対側の面に結合しておく場合には、覆い部材を、接合可能部となっている溶接可能部から外れた位置に配置する。【００２８】
これにより、予め覆い部材が結合されている裏板を、この覆い部材に影響されることなく、溶接可能部において、建材に溶接で接合することができる。【００２９】
本発明に係る建材用裏板構造は、建材の表裏両面のうち、一方の面に建材用部品が配置されていて他方の面に裏板が前記建材用部品と対面して配置され、前記裏板が前記建材に接合されているとともに、前記建材を貫通する結合具により、前記建材用部品が前記建材に前記裏板で補強されて結合されている建材用裏板構造において、前記建材を介して前記建材用部品と対面している前記裏板には、この建材用部品の外輪郭よりも内側において、前記建材に接合が可能となっている接合可能部が設けられ、この接合可能部で前記裏板が前記建材に接合されていることを特徴とするものである。【００３０】
この建材用裏板構造によると、建材用部品と建材を介して対面している裏板には、この建材用部品の外輪郭よりも内側において、建材に接合が可能となっている接合可能部が設けられており、この接合可能部で裏板が建材に接合されているため、接合痕が、建材用部品の配置が行われる建材の上述した一方の面に表われるものとなっていても、この接合痕を建材用部品によって隠すことができ、このため、接合痕を消すための作業を不要にでき、これにより、作業性を大きく改善することができる。【００３１】
なお、この建材用裏板構造でも、接合痕を建材用部品によって隠すことは、建材の上述した一方の面に表われる接合痕の全体を建材用部品によって隠すこととすることが好ましいが、接合痕の一部が建材用部品から露出しても、この露出した大きさが上述の消すための作業を行う必要のない程度のものである場合には、接合痕の全体ではなく、接合痕の略全体等を建材用部品によって隠してもよい。【００３２】
また、接合可能部は、溶接可能部でもよく、接着剤又は粘着剤による接着又は粘着可能部でもよい。【００３３】
また、溶接可能部は、アーク溶接による溶接可能部でもよく、スポット溶接よる溶接可能部でもよく、ガス溶接による溶接可能部でもよい。【００３４】
また、裏板が接合される前述の建材が他の建材と溶接により接合される場合には、接合可能部を溶接可能部とするとともに、この溶接可能部を、建材と他の建材とを接合するための溶接と同じ種類の溶接による溶接可能部とすることが好ましい。すなわち、建材と他の建材とを接合する溶接がアーク溶接である場合には、溶接可能部をアーク溶接による溶接可能部とし、建材と他の建材とを接合する溶接がスポット溶接である場合には、溶接可能部をスポット溶接による溶接可能部とし、建材と他の建材とを接合する溶接がガス溶接である場合には、溶接可能部をガス溶接による溶接可能部とすることが好ましい。【００３５】
これによると、建材と他の建材とを接合するための装置を活用して裏板を建材に接合できることなり、装置の共通化を図ることができる。【００３６】
さらに、裏板と建材には、裏板が建材にアーク溶接等で接合されるときに、裏板を建材に対して位置決めするための位置決め部を設けることが好ましい。【００３７】
これによると、裏板を建材に接合する際に、位置決め部により裏板を建材に対して位置決めすることができるため、裏板の建材への接合作業を、建材に対して裏板を不動にして行えることになる。このため、この接合作業を、建材の所定箇所に裏板を正確に配置して行え、裏板を建材の正確な箇所に接合できることになる。【００３８】
なお、裏板を建材に対して位置決めするための位置決め部は、任意な手段によるものでよく、例えば、裏板と建材のうち、一方に形成された凸部を他方に形成された凹部に嵌合することで位置決めする凹凸式のものでもよい。そして、凸部が嵌合する凹部は、窪みでもよく、貫通した孔でもよい。【００３９】
さらに、本発明に係る建材用裏板構造において、裏板が配置される建材の前述した他方の面が、コンクリート等の充填材が充填される空間を形成する面となっていて、裏板に、前述した結合具を貫通させるための貫通孔が形成される場合には、裏板における建材側とは反対側の面に、貫通孔を覆うための覆い部材を固定してもよい。【００４０】
これによると、裏板に結合具を貫通させるための貫通孔が形成されていても、この貫通孔は覆い部材により覆われるため、上述の充填材の充填が行われたときに、この充填材が裏板の貫通孔に侵入することを防止できる。【００４１】
そして、裏板が建材に接合される前に、裏板における建材側とは反対側の面に覆い部材が固定される場合には、覆い部材を、裏板における接合可能部となっている溶接可能部を覆う部分を有していないものとし、これにより、裏板の建材への溶接作業を、覆い部材に影響されることなく行えることになる。【００４２】
以上説明した本発明に係る建材用裏板及び建材用裏板構造において、裏板に設ける前述の接合可能部の個数は、１個でもよく、複数個でもよい。接合可能部の個数を複数個とする場合であって、施工現場等で前述の結合具により裏板を建材に結合する場合には、施工現場等で結合具により裏板を建材に結合するまでに、工場等で裏板を建材に一層確実に接合しておくことができるようにするために、複数個の接合可能部を、裏板におけるできるだけ大きく離れた箇所、例えば、裏板の上下２箇所又はこれらの箇所の近辺に設けることが好ましい。また、裏板に、前述の結合具を貫通させるための貫通孔や、裏板を建材に位置決めするための位置決め部を場合には、複数個の接合可能部をこれらの孔や位置決め部からずれた箇所に設ける。【００４３】
また、以上説明した本発明に係る建材用裏板及び建材用裏板構造において、建材用部品を建材に裏板で補強して結合するための前述の結合具は、任意な結合具でよく、この結合具の一例はビスであり、他の例の結合具はリベットである。【００４４】
また、本発明は、任意な建材用部品のための裏板に適用することができ、この建材用部品は、玄関ドア等のドアのための蝶番でもよく、あるいは、ドアクローザでもよく、ドアのラッチを受けるためのラッチ受けでもよく、さらには、ドアのデッドボルトを受けるためのデッドボルト受けでもよい。【００４５】
また、建材用部品を蝶番とする場合には、この蝶番は、例えば、旗蝶番でもよく、平蝶番でもよく、フランス蝶番でもよく、儀星蝶番でよく、任意の蝶番でよい。【００４６】
さらに、本発明において、建材用部品を玄関ドア等のドアのための蝶番とする場合には、裏板は、この蝶番のうち、枠側羽根板のための裏板でもよく、ドア側羽根板のための裏板でもよい。
【発明の効果】
【００４７】
本発明によると、建材に裏板を接合したときに生ずる溶接痕等の接合痕を消すための作業を不要にできるという効果を得られる。
【図面の簡単な説明】
【００４８】
【図１】図１は、本発明の一実施形態に係る建材用裏板及び建材用裏板構造が適用された玄関ドアの全体を示す正面図である。
【図２】図２は、図１のＳ２−Ｓ２線断面図である。
【図３】図３は、図２で示された建材用部品となっている蝶番の部分の斜視図である。
【図４】図４は、図３で示されている側枠部材を省略して示した蝶番と裏板と覆い部材の分解斜視図である。
【図５】図５は、図３のＳ５−Ｓ５線断面図である。
【図６】図６は、図５の裏板と覆い部材を背面から見た背面図である。
【図７】図７は、図３で示されている側枠部材の裏面に裏板と覆い部材を配置したときを示す縦断面図であって、溶接前を示す図である。
【図８】図８は、図７のときの裏板と覆い部材を背面から見た図である。
【図９】図９は、第１別実施形態に係る溶接可能部を示す図６と同様の図である。
【図１０】図１０は、第２別実施形態に係る溶接可能部を示す図６と同様の図である。
【図１１】図１１は、第３別実施形態に係る溶接可能部を示す図８と同様の図である。
【図１２】図１２は、図１１のＳ１２−Ｓ１２線断面図である。
【図１３】図１３は、図１１の一部拡大図である。
【図１４】図１４は、図１３の平面図である。
【図１５】図１５は、第４別実施形態に係る溶接可能部を示す図８と同様の図である。
【図１６】図１６は、図１５のＳ１６−Ｓ１６線断面図である。
【符号の説明】
【００４９】
１  玄関ドア
２  建材である外枠
５  外枠の一部を構成する側枠部材
５Ａ  側枠部材の一方の面である表面
５Ｂ  側枠部材の他方の面である裏面
９  充填材であるコンクリート
１０  建材用部品である蝶番
１１  蝶番の一部を構成する枠側羽根板
１４  枠側羽根板の外輪郭
１５  結合具であるビス
２０，４０，６０，８０，１００  裏板
２０Ａ〜２０Ｄ，４０Ａ〜４０Ｄ，６０Ａ〜６０Ｄ，８０Ａ〜８０Ｄ，１００Ａ〜１００Ｄ  裏板の辺部
２１，８１  裏板の２個の辺部から裏板の外輪郭の内側へ侵入することで形成された切除部
２２，４２，８２  接合可能部であって溶接可能部である切除部の先端部
２３，４３，６３，８３，１０３  裏板の外輪郭
２６  ビスのための貫通孔であるねじ孔
２９  位置決め部
３０，５０，７０，９０，１１０  覆い部材
３１  アーク溶接の溶接棒又は溶接ワイヤ
３２  溶接部
４１  裏板の１個の辺部から裏板の外輪郭の内側へ侵入することで形成された切除部であって、接合可能部及び溶接可能部
６１  裏板の外輪郭よりも内側に設けられた切除部であって、接合可能部及び溶接可能部である孔
８１Ｃ  案内部である切除部の辺部
１０２  スポット溶接による溶接可能部
Ｓ  充填材が充填される空間
【発明を実施するための最良の形態】
【００５０】
以下に本発明を実施するためのそれぞれの形態を図面に基づいて説明する。なお、図面を用いて説明するそれぞれの実施形態は、裏板を建材に接合するために裏板に設けられている接合可能部が、溶接可能部となっているものである。【００５１】
また、以下に説明するそれぞれの実施形態における建材用部品は、図１に示されている玄関ドア１のための蝶番１０であり、また、本実施形態における建材は、玄関ドア１で開閉される開口部２Ａを内側に形成している外枠２である。図１には、上下３個の蝶番１０により、玄関ドア１が外枠２に開閉自在に取り付けられている状態が示されており、この外枠２は、上枠部材３と左右の側枠部材４，５と下枠部材６とにより構成されている。【００５２】
図２は、図１のＳ２−Ｓ２断面図であり、この図２に示されているように、左右の側枠部材４，５は、コンクリート製の壁７の配筋材７Ａに連結部材８で連結され、板金の折り曲げ品であるこれらの側枠部材４，５の内部空間Ｓには、コンクリート９が充填材として充填されている。【００５３】
図３には、一部を二点鎖線による想像線で表した蝶番１０の部分の斜視図が示され、図４には、図３で示されている側枠部材５を省略して表した蝶番１０等の分解斜視図が示されている。図３及び図４から分かるように、本実施形態に係る蝶番１０は、側枠部材５側の羽根板となっている枠側羽根板１１と、この枠側羽根板１１の基端に設けられている筒部１１Ａと、玄関ドア１側の羽根板となっているドア側羽根板１３と、このドア側羽根板１３の基端に設けられている筒部１３Ａと、この筒部１３Ａに結合されて下方へ延びるピン１２とからなる旗蝶番である。枠側羽根板１１の筒部１１Ａの内部にピン１２が上方から挿入されることにより、枠側羽根板１１とドア側羽根板１３とがピン１２を介して連結されるとともに、このピン１２を中心にドア側羽根板１３が枠側羽根板１１に対して回動自在となる。枠側羽根板１１は、図３及び図４で示されている５個のビス１５により側枠部材５に結合され、枠側羽根板１１よりも上側に配置されているドア側羽根板１３は、図示しない複数個のビスにより玄関ドア１の端面に結合され、これにより、玄関ドア１は、蝶番１０により側枠部材５に回動自在に取り付けられる。【００５４】
次に、建材である外枠２の一部を構成している側枠部材５に、建材用部品である蝶番１０の一部を構成している枠側羽根板１１を結合するための本実施形態に係る構造について説明する。【００５５】
図３に示されているように、枠側羽根板１１は、側枠部材５の表裏両面５Ａ，５Ｂのうち、表面５Ａに配置され、側枠部材５の裏面５Ｂには、裏板２０が枠側羽根板１１と対面して配置される。側枠部材５の表面５Ａとは、図２に示されているように、玄関ドア１側に向いている面であり、側枠部材５の裏面５Ｂとは、図２のコンクリート９が充填される側枠部材５の内部空間Ｓを形成している側の面である。そして、図３及び図４に示されているように、裏板２０における側枠部材５の側とは反対側の面には、覆い部材３０が配置される。【００５６】
裏板２０には、図４に示されているとおり、この裏板２０の一部を切除することによって形成された上下２個の切除部２１が設けられており、これらの切除部２１が形成されていない場合における裏板２０の外輪郭２３は、裏板２０の上辺部２０Ａと左右の側辺部２０Ｂ，２０Ｃと下辺部２０Ｄとからなる縦長の四角形の輪郭となっている。そして、２個の切除部２１のうち、上側の切除部２１Ａは、裏板２０の外輪郭２３を形成しているこれらの辺部２０Ａ〜２０Ｄのうち、互いに隣接している２個の上辺部２０Ａ及び側辺部２０Ｂから裏板２０の外輪郭２３の内側へ侵入することによって形成された部分となっており、下側の切除部２１Ｂは、辺部２０Ａ〜２０Ｄのうち、互いに隣接している２個の下辺部２０Ｄ及び側辺部２０Ｂから裏板２０の外輪郭２３の内側へ侵入することによって形成された部分となっている。【００５７】
そして、これらの切除部２１は、上辺部２０Ａ，側辺部２０Ｂ、下辺部２０Ｄから裏板２０の外輪郭２３の内側へ侵入していて、上辺部２０Ａ，側辺部２０Ｂ、下辺部２０Ｄに対し直角又は略直角をなして侵入しているため、それぞれの切除部２１における先端部２２は、直角形状又は略直角形状となっている部分、言い換えると、２個の辺部が角度をなしている部分となっている。【００５８】
なお、裏板２０は板金の打ち抜き加工により製造されており、それぞれの切除部２１は、この板金の打ち抜き加工を行うときに、この打ち抜き加工によって形成されている。このため、板金から裏板２０を製造するときに、切除部２１も同時に形成されている。【００５９】
裏板２０は、図６に示されているように、蝶番１０の枠側羽根板１１のうち、蝶番１０のピン１２の側とは反対側の大面積を有する部分と側枠部材５を介して対面しており、切除部２１が形成されていない場合における裏板２０の大きさ及び形状は、この裏板２０と対面している枠側羽根板１１の上記部分（以下、対面部分１１Ｂという。）の大きさ及び形状と同じ又は略同じである。図６では、裏板２０の大きさ及び形状は、枠側羽根板１１の対面部分１１Ｂと略同じ、言い換えると、対面部分１１Ｂの大きさ及び形状よりもやや大きめに設定されている。そして、裏板２０の切除部２１は、枠側羽根板１１の対面部分１１Ｂの外輪郭１４の内側へ侵入した部分となっている。【００６０】
図４に示されているように、枠側羽根板１１には、前述のビス１５を挿入するための孔２４が形成され、また、図３のＳ５−Ｓ５線断面図である図５、及び図７に示されているように、側枠部材５にもビス１５を挿入するための孔２５が形成されているとともに、裏板２０には、図４に示されているように、ビス１５を螺入、貫通させるための貫通孔となっているねじ孔２６が形成されている。これらのねじ孔２６は、例えば、裏板２０にバーリング加工に行うことにより、裏板２０の厚さよりも長い長さを有するものとしてもよい。【００６１】
また、図４に示されているとおり、裏板２０には、板金製の裏板２０を半抜き加工等することにより、枠側羽根板１１の側へ突出した２個の凸部２７が形成されており、図５及び図７に示されているように、側枠部材５には、これらの凸部２７と対応する箇所において、２個の孔２８が形成されている。このため、それぞれの凸部２７をそれぞれの孔２８に嵌合することにより、裏板２０は側枠部材５に位置決めされて配置される。したがって、凸部２７と孔２８は、この位置決めを行うために裏板２０と側枠部材５に形成された本実施形態における位置決め部２９である。【００６２】
図４で示されている覆い部材３０は板金の折り曲げ品であって、図６及び図８から分かるように、背面から見たときに裏板２０よりもやや小さい大きさを有するものとなっている。また、この覆い部材３０は、図４に示されているように、ボックス部３０Ａと、このボックス部３０Ａの上下に設けられた突片部３０Ｂ，３０Ｃとからなり、ボックス部３０Ａは、裏板２０の側の面である正面のみが開口していて、上下面、左右の両側面及び背面が閉じた面となっている。また、このボックス部３０Ａは、図８から分かるように、覆い部材３０が裏板２０における側枠部材５の側とは反対側の面に配置されたときに、裏板２０に貫通孔として５個設けられているねじ孔２６の全部を覆うようになっている。【００６３】
それぞれの突片部３０Ｂ，３０Ｃは、裏板２０における側枠部材５の側とは反対側の面に当てられ、また、これらの突片部３０Ｂ，３０Ｃは、図６及び図８に示されているように、ボックス部３０Ａの左右の両側面の間隔よりも短い左右長さを有しており、このため、突片部３０Ｂ，３０Ｃの左右長さは裏板２０の切除部２１まで延びる長さとなっておらず、切除部２１の手前までの長さとなっている。これを言い換えると、この切除部２１は、裏板２０のうち、覆い部材３０によって覆われない箇所に設けられている。したがって、覆い部材３０を裏板２０における側枠部材５の側とは反対側の面に配置したときに、裏板２０の切除部２１が覆い部材３０によって覆われることはなく、切除部２１は、外部に露出することになり、覆い部材３０は、切除部２１を覆う部分を有していない。【００６４】
図７及び図８は、図１で示されている玄関ドア１の施工現場に搬入される前における工場での側枠部材５と裏板２０と覆い部材３０を示している。工場では、側枠部材５の裏面５Ｂに裏板２０を、前述した位置決め部２９により位置決め配置し、そして、側枠部材５の裏面５Ｂに裏板２０を溶接で接合する作業が行なわれる。本実施形態の位置決め部２９は、裏板２０に形成された２個の凸部２７と、側枠部材５に形成された２個の孔２８とからなるため、側枠部材５の裏面５Ｂに裏板２０を位置決め配置することは、裏板２０の２個の凸部２７を側枠部材５の２個の孔２８に嵌合することにより行い、このように裏板２０を側枠部材５の裏面５Ｂに位置決め配置した後に、裏板２０の前述した切除部２１の先端部２２に、図８に示されているように、アーク溶接の溶接棒又は溶接ワイヤ３１の先端部を当接させ、これにより、側枠部材５の裏面５Ｂに裏板２０をアーク溶接によって接合する。アーク溶接によって生ずる溶接部３２は、図８において、二点鎖線によって示されている。この溶接部３２は、図６にも示されている。【００６５】
このため、本実施形態において、裏板２０を建材である側枠部材５に接合するために裏板２０に設けられている接合可能部は、アーク溶接による溶接可能部となっている。【００６６】
このアーク溶接時において、覆い部材３０の一部である突片部３０Ｂ，３０Ｃを裏板２０に同時に溶接する。すなわち、アーク溶接により、側枠部材５の裏面５Ｂに裏板２０を接合する際に、このアーク溶接の溶接熱による溶解を覆い部材３０の突片部３０Ｂ，３０Ｃまで到達させ、これにより、突片部３０Ｂ，３０Ｃを裏板２０に接合する。また、このようにアーク溶接により覆い部材３０の突片部３０Ｂ，３０Ｃを裏板２０に接合する場合には、予め覆い部材３０を裏板２０にスポット溶接や接着剤、粘着剤等により仮固定しておいてもよく、仮固定しておかなくてもよい。【００６７】
なお、図８に示されているように、突片部３０Ｂ，３０Ｃの左右長さは、裏板２０の切除部２１の手前までの長さとなっているが、突片部３０Ｂ，３０Ｃが切除部２１に近づいた位置まで達しているため、上述のようにアーク溶接によって側枠部材５の裏面５Ｂに裏板２０を接合する際に、突片部３０Ｂ，３０Ｃを裏板２０に溶接することができる。【００６８】
以上のように工場で側枠部材５に裏板２０を接合するとともに、裏板２０に覆い部材３０を接合し、また、工場において、図１で示した上枠部材３と左右の側枠部材４，５と下枠部材６とを溶接で接合することにより、玄関ドア１で開閉される開口部２Ａのための外枠２を形成した後に、これらを図１で示した玄関ドア１に施工現場に搬入する。この施工現場では、左右の側枠部材４，５を図２で示した壁７の配筋材７Ａに連結部材８で連結し、次いで、これらの側枠部材４，５の内部空間Ｓにコンクリート９を充填する作業を行う。【００６９】
また、蝶番１０の枠側羽根板１１の孔２４から図３及び図４で示したそれぞれのビス１５を挿入し、これらのビス１５を側枠部材５の孔２５に挿入するとともに、裏板２０のねじ孔２６に螺入し、それぞれのビス１５を締め付けることにより、枠側羽根板１１をビス１５によって側枠部材５の表面５Ａに結合し、この結合を、側枠部材５よりも厚さが大きい裏板２０によって補強する。また、蝶番１０のドア側羽根板１３を、枠側羽根板１１と同様にして、玄関ドア１の端面に図示しないビスにより結合し、この後に、蝶番１０の図４で示したピン１２を枠側羽根板１１の筒部１１Ａの内部に上方から挿入し、これにより、玄関ドア１の外枠２への取付作業が終了する。【００７０】
本実施形態では、工場において外枠２を形成するために上枠部材３と左右の側枠部材４，５と下枠部材６とを接合するための溶接と同じ種類の溶接により、裏板２０が側枠部材５に接合される。すなわち、工場において上枠部材３と左右の側枠部材４，５と下枠部材６とを接合することにより外枠２を形成する作業は、これらの枠部材３〜６をアーク溶接により接合することにより行われるため、上述したように工場で裏板２０が側枠部材５にアーク溶接により接合され、このため、枠部材３〜６を接合するためのアーク溶接機を用いて裏板２０を側枠部材５に接合する作業が行われ、この作業を、枠部材３〜６を接合するための溶接機を活用して容易に行うことができる。【００７１】
したがって、枠部材３〜６の接合をスポット溶接で行う場合には、側枠部材５に裏板２０を接合する作業をスポット溶接による作業としてもよい。また、枠部材３〜６のそれぞれの接合作業のうち、少なくとも一部の作業がアーク溶接作業又はスポット溶接作業等の接合作業となっている場合には、側枠部材５に裏板２０を接合する作業を、上述の一部の作業と同じ作業とすることが好ましい。【００７２】
前述したように玄関ドア１の施工現場において、蝶番１０の枠側羽根板１１をビス１５によって側枠部材５の表面５Ａ及び裏板２０に結合したときには、図６に示されている裏板２０の切除部２１の先端部２２は、枠側羽根板１１の前述した対面部分１１Ｂの外輪郭１４の内側に存在している。そして、本実施形態では、前述の工場において、この先端部２２にアーク溶接の溶接棒又は溶接ワイヤ３１の先端部を当接させることにより、裏板２０を側枠部材５の裏面５Ｂに接合するためのアーク溶接が行なわれているため、切除部２１の先端部２２は、枠側羽根板１１の対面部分１１Ｂの外輪郭１４よりも内側に設けられたアーク溶接のための本実施形態の溶接可能部となっている。【００７３】
そして、この溶接可能部でアーク溶接が行われることにより生じた図６の溶接部３２は、枠側羽根板１１の前述した対面部分１１Ｂの外輪郭１４よりも内側に存在しているため、この溶接部３２による溶接痕が、たとえ側枠部材５の表面５Ａに表われることがあっても、この溶接痕を、側枠部材５の表面５Ａに配置された枠側羽根板１１によって隠すことができる。このため、溶接痕を消すために研磨具等の工具で側枠部材５の表面５Ａを仕上げる作業を行う必要がなく、したがって、作業を大幅に省略できて作業性を改善することができる。【００７４】
また、アーク溶接の溶接棒又は溶接ワイヤ３１の先端部を当接させる切除部２１の先端部２２は、前述したように、直角形状又は略直角形状となっている部分であり、言い換えると、切除部２１の先端部２２は、この切除部２１に当てたアーク溶接の溶接棒又は溶接ワイヤ３１の先端部の滑り（スライド）を阻止できるものであって、溶接棒又は溶接ワイヤ３１の先端部を留めることができる角度をなす部分となっている。このため、溶接棒又は溶接ワイヤ３１の先端部を切除部２１の先端部２２に係止させた状態にして、言い換えると、溶接棒又は溶接ワイヤ３１の先端部を切除部２１の先端部２２に位置決めした状態にして、アーク溶接を行うことができ、したがって、アーク溶接で側枠部材５の裏面５Ｂに裏板２０を接合する作業を、枠側羽根板１１の対面部分１１Ｂの外輪郭１４よりも内側の箇所となっている裏板２０の所定箇所において、容易かつ確実に行うことができる。【００７５】
また、このアーク溶接を行うときには、裏板２０は側枠部材５に対して凸部２７及び孔２８による位置決め部２９で位置決めされているため、裏板２０が側枠部材５に対して移動することを阻止してこのアーク溶接を行えることになり、このため、裏板２０を側枠部材５の裏面５Ｂの所定箇所に正確に接合することができる。【００７６】
また、本実施形態では、蝶番１０の枠側羽根板１１は、側枠部材５を貫通してこの枠側羽根板１１と裏板２０とに達する結合具となっているビス１５により、側枠部材５及び裏板２０に結合されているため、裏板２０には、ビス１５が螺入、貫通するねじ孔２６が形成されているが、裏板２０には、ねじ孔２６を覆うボックス部３０Ａを有する覆い部材３０が取り付けられているため、裏板２０が接合されている側枠部材５の裏面５Ｂが、図２で示したコンクリート９が充填される側枠部材５の内部空間Ｓを形成する面となっていても、このコンクリート９が裏板２０のねじ孔２６に侵入することを覆い部材３０で防止できる。これにより、ビス１５によって蝶番１０の枠側羽根板１１を側枠部材５及び裏板２０に確実に結合することができる。【００７７】
なお、側枠部材５の裏面５Ｂで形成される内部空間Ｓにコンクリート９が充填されない玄関ドア１の施工現場については、覆い部材３０が取り付けられていない裏板２０を用いる。しかし、内部空間Ｓにコンクリート９が充填されない玄関ドア１の施工現場についても、覆い部材３０が取り付けられている裏板２０を用いてもよく、これによると、それぞれの玄関ドア１の施工現場で用いる裏板を共通化できることになり、覆い部材３０付きの裏板２０と、覆い部材３０無しの裏板２０とを区別して管理、保存等する必要がなくなる。【００７８】
また、覆い部材３０が取り付けられた裏板２０を工場から玄関ドア１の施工現場に搬送するとき等において、裏板２０に貫通孔として形成されているねじ孔２６が外力等によって損傷することを覆い部材３０によって防止でき、覆い部材３０でねじ孔２６を保護することができる。【００７９】
また、本実施形態では、アーク溶接により側枠部材５の裏面５Ｂに裏板２０を接合する際に、前述したように、このアーク溶接により、覆い部材３０の一部である突片部３０Ｂ，３０Ｃを裏板２０に同時に溶接するようにしているため、溶接作業の兼用化を達成することができ、これにより、作業工数の削減を図ることができる。【００８０】
さらに、前述したように裏板２０の溶接可能部となっている切除部２１の先端部２２は、裏板２０のうち、覆い部材３０によって覆われない箇所となっており、覆い部材３０は切除部２１を覆う部分を有していないため、アーク溶接によって側枠部材５の裏面５Ｂに裏板２０を接合する作業を、覆い部材３０に影響されることなく容易に行うことができる。【００８１】
また、本実施形態において、切除部２１は、裏板２０における大きく離れた箇所である裏板２０の上下２箇所の近辺に設けられているため、玄関ドア１の施工現場においてビス１５で裏板２０が側枠部材５に結合されるまでに、工場において裏板２０を側枠部材５にアーク溶接による２個の溶接部３２で一層確実に接合しておくことができる。そして、これらの溶接部３２は、裏板２０に設けられている５個のねじ孔２６の全体や、位置決め部２９のための凸部２７から上下方向にずれた箇所に設けられているため、これらのねじ孔２６や凸部２７が溶接熱の影響で変形等することをなくすことができる。【００８２】
さらに、本実施形態では、図６に示されているように、先端部２２が溶接可能部となっている切除部２１は、裏板２０における左右方向の両端部のうち、蝶番１０の回動中心となっているピン１２の側の端部の近くに設けられておらず、ピン１２とは反対側の端部の近くに設けられている。このような切除部２１が設けられている裏板２０の箇所は、図２に示されているように、玄関ドア１で開閉される開口部２Ａの室外側と室内側に向いている側枠部材５の正面５Ｃと背面５Ｄのうち、背面５Ｄの側の箇所となっている。そして、側枠部材５は板金の折り曲げ品であり、正面５Ｃと背面５Ｄは、側枠部材５の互いに平行又は略平行となっている面であるとともに、背面５Ｄは、正面５Ｃよりも、裏板２０との間で大きな間隔があいている側枠部材５の部分となっている。このため、本実施形態によると、切除部２１の先端部２２にアーク溶接の溶接棒又は溶接ワイヤ３１の先端部を当接させて側枠部材５の裏面５Ｂに裏板２０をアーク溶接で接合する作業を、切除部２１を設ける裏板２０の箇所を正面５Ｃの側の箇所とした場合よりも、側枠部材５の正面５Ｃ及び背面５Ｄの影響を少なくして容易に行える。【００８３】
図９は、溶接可能部についての別実施形態を示している。この実施形態における裏板４０の外輪郭４３も、上辺部４０Ａと左右の側辺部４０Ｂ，４０Ｃと下辺部４０Ｄとからなる四角形の輪郭となっており、また、裏板４０には、上辺部４０Ａと下辺部４０Ｄのそれぞれから外輪郭４３の内側へ侵入することによって形成された切除部４１が設けられている。これらの切除部４１の先端部４２は半円形となっており、これらの先端部４２は、アーク溶接の溶接棒又は溶接ワイヤ３１の先端部を係止可能の部分となっている。【００８４】
この実施形態における覆い部材５０も、ボックス部５０Ａと、このボックス部５０Ａの上下に設けられた突片部５０Ｂ，５０Ｃとからなり、これらの突片部５０Ｂ，５０Ｃの左右の長さは、ボックス部５０Ａの左右の両側面の間隔と同じになっている。そして、これらの突片部５０Ｂ，５０Ｃには、裏板４０の切除部４１と対応する箇所において、切除部５１が形成され、これらの切除部５１の左右の幅寸法及び上下の長さ寸法は、裏板４０の切除部４１の左右の幅寸法及び上下の長さ寸法よりも少し大きくなっている。【００８５】
この実施形態における裏板４０の切除部４１も、蝶番１０の枠側羽根板１１のうち、裏板４０と対面している対面部分１１Ｂの外輪郭１４の内側へ侵入した部分となっている。このため、切除部４１の先端部４２は、この外輪郭１４よりも内側に設けられた本実施形態の溶接可能部となっている。この溶接可能部において、アーク溶接の溶接棒又は溶接ワイヤ３１の先端部を係止することにより、裏板４０を側枠部材５の裏面５Ｂにアーク溶接によって接合することができる。このアーク溶接による接合時に、覆い部材５０の突片部５０Ｂ，５０Ｃを裏板４０に同時にアーク溶接で接合する。このため、予め覆い部材５０を裏板４０にスポット溶接等で仮固定しておいてもよく、仮固定しておかなくてもよい。【００８６】
この実施形態でも、裏板４０の切除部４１の先端部４２において、アーク溶接による溶接部３２によって裏板４０を側枠部材５の裏面５Ｂに接合することにより、側枠部材５の表面５Ａに溶接痕が表われることがあっても、この溶接痕を、側枠部材５の表面５Ａに配置される蝶番１０の枠側羽根板１１によって隠すことができる。【００８７】
図１０は、溶接可能部についてのさらなる別実施形態を示している。この実施形態における裏板６０の外輪郭６３は、上辺部６０Ａと左右の側辺部６０Ｂ，６０Ｃと下辺部６０Ｄとからなる縦長の四角形の輪郭であり、また、裏板６０には、上辺部６０Ａと下辺部６０Ｄのそれぞれに近い箇所において、孔６１が設けられ、裏板６０の一部を切除することで形成されたこれらの孔６１は、裏板６０の外輪郭６３よりも内側に形成された切除部となっているとともに、アーク溶接の溶接棒又は溶接ワイヤ３１の先端部を係止可能となった大きさを有している。【００８８】
この実施形態における覆い部材７０も、ボックス部７０Ａと、ボックス部７０Ａの上下に設けられた突片部７０Ｂ，７０Ｃとからなり、ボックス部５０Ａの左右の両側面の間隔と同じ左右の長さを有しているこれらの突片部７０Ｂ，７０Ｃには、裏板６０の孔６１と対応する箇所において、孔７１が形成され、これらの孔７１は、裏板６０の孔６１よりも少し大きい直径を有する。【００８９】
この実施形態における裏板６０の２個の孔６１は、蝶番１０の枠側羽根板１１のうち、裏板６０と対面している対面部分１１Ｂの外輪郭１４の内側の箇所に設けられており、このため、これらの孔６１は、この外輪郭１４よりも内側に設けられた本実施形態の溶接可能部となっている。この溶接可能部において、アーク溶接の溶接棒又は溶接ワイヤ３１の先端部を係止することにより、裏板６０を側枠部材５の裏面５Ｂにアーク溶接によって接合することができる。このアーク溶接による接合時に、覆い部材７０の突片部７０Ｂ，７０Ｃを裏板６０に同時にアーク溶接で接合する。このため、予め覆い部材７０を裏板６０にスポット溶接等で仮固定しておいてもよく、仮固定しておかなくてもよい。【００９０】
この実施形態でも、裏板６０の孔６１において、アーク溶接による溶接部３２によって裏板６０を側枠部材５の裏面５Ｂに接合することにより、側枠部材５の表面５Ａに溶接痕が表われることがあっても、この溶接痕を、側枠部材５の表面５Ａに配置される蝶番１０の枠側羽根板１１によって隠すことができる。【００９１】
なお、覆い部材７０には、裏板６０の溶接可能部となっている孔６１よりも大きい孔７１が設けられているため、この実施形態でも、裏板６０の溶接可能部は、裏板６０のうち、覆い部材７０によって覆われない箇所に設けられていることになり、これにより、アーク溶接によって側枠部材５の裏面５Ｂに裏板６０を接合する作業を、覆い部材７０に影響されることなく容易に行うことができる。【００９２】
図１１で示す実施形態の裏板８０には、図４及び図６の実施形態と同様に、上下２個の切除部８１が形成されている。これらの切除部８１のうち、上側の切除部８１Ａは、裏板８０の外輪郭８３を形成している上辺部８０Ａと左右の側辺部８０Ｂ，８０Ｃと下辺部８０Ｄのうち、互いに隣接している２個の上辺部８０Ａ及び側辺部８０Ｂから裏板８０の外輪郭８３の内側へ侵入することによって形成された部分となっており、下側の切除部８１Ｂは、互いに隣接している２個の下辺部８０Ｄ及び側辺部８０Ｂから裏板２０の外輪郭２３の内側へ侵入することによって形成された部分となっている。【００９３】
そして、それぞれの切除部８１の直角形状又は略直角形状をなしている先端部８２は、アーク溶接による溶接可能部となっている。それぞれの切除部８１は、蝶番１０の枠側羽根板１１のうち、裏板８０と対面している対面部分１１Ｂの外輪郭１４の内側へ侵入した部分となっており、このため、アーク溶接による溶接可能部となっているそれぞれの先端部８２は、外輪郭１４の内側に設けられている。【００９４】
また、覆い部材９０は、ボックス部９０Ａと、このボックス部９０Ａの上下に設けられた上下の突片部９０Ｂ，９０Ｃとからなり、これらの突片部９０Ｂ，９０Ｃの左右長さはボックス部９０Ａの左右の両側面の間隔よりも小さいため、アーク溶接による溶接可能部である先端部８２は、裏板８０のうち、覆い部材９０によって覆われていない箇所となっている。【００９５】
この実施形態の覆い部材９０は、裏板８０が側枠部材５にアーク溶接で接合される前に、予め２個の固定部９１で裏板８０に固定配置されている。これらの固定部９１は、図１１のＳ１２−Ｓ１２線断面図である図１２に示されているとおり、裏板８０を半抜き加工等することにより形成された突起９２を、覆い部材９０の突片部９０Ｂ，９０Ｃに形成した孔９３に挿入した後に、孔９３から突出した突起９２の先端部に、この先端部を拡大変形させるカシメ加工を行うことにより形成されている。【００９６】
また、この実施形態では、図１１から分かるように、それぞれの切除部８１は、左右の側辺部８０Ｂ，８０Ｃの間隔が長さＬ１となっている裏板８０において、側辺部８０Ｂから側辺部８０Ｃの側へ長さＬ２に渡って裏板８０の外輪郭８３の内側へ侵入しており、この長さＬ２は、長さＬ１の半分よりも少し長い長さである。このため、それぞれの切除部８１の先端部８２に、図８で示したアーク溶接の溶接棒又は溶接ワイヤ３１の先端部を係止させてアーク溶接を行い、これにより生ずる溶接部３２で裏板８０を側枠部材５に接合したときには、これらの溶接部３２の側辺部８０Ｂからの距離Ｌ３は、長さＬ１の半分又は略半分となる。【００９７】
この実施形態においても、図４及び図５で示したビス１５を螺入させるために裏板８０に設けられているねじ孔２６は、図１１に示されているように、５個あり、これらのねじ孔２６のうち、４個のねじ孔２６は、上下左右に分かれて裏板８０に設けられている。これら４個のねじ孔２６のうち、上下２個で一組をなすねじ孔２６の左右二組のうち、一方の組のねじ孔２６は、側辺部８０Ｂから距離Ｌ４の位置に設けられ、他方の組のねじ孔２６も、側辺部８０Ｂとは反対側の側辺部８０Ｃから距離Ｌ４の位置に設けられている。【００９８】
このため、裏板８０を側枠部材５にアーク溶接で接合するために、溶接可能部となっている切除部８１の先端部８２についてアーク溶接を行ったときに、左右２個のねじ孔２６は、切除部８１の先端部８２が溶接されることにより生ずる溶接部３２に対し、互いに等しい又は略等しい距離に存在していることになる。【００９９】
このため、上述の左右２個のねじ孔２６は、溶接熱を均等又は略均等に受けることになり、左右２個のねじ孔２６のうち、一方のねじ孔２６が溶接熱を多く受けることをなくすことができるため、上述の４個のねじ孔２６のうち、１個又は２個のねじ孔２６が溶接熱で変形等してビス１５の螺入が困難になることを防止でき、これにより、それぞれのねじ孔２６にビス１５を所定どおり螺入できることになる。【０１００】
また、図１１で示されている上下２個の切除部８１は、共に裏板８０の側辺部８０Ｂから側辺部８０Ｃの側へ直線状に延びる辺部８１Ｃを有するものとなっている。このため、図８で示したアーク溶接の溶接棒又は溶接ワイヤ３１の先端部を切除部８１の先端部８２に係止させてアーク溶接を行う前に、作業者は、これらの辺部８１Ｃを、溶接棒又は溶接ワイヤ３１の先端部をスライド案内させる案内部として利用できる。【０１０１】
また、これらの案内部は、共に裏板８０の側辺部８０Ｂから側辺部８０Ｃの側へ直線状に延びているため、言い換えると、同じ方向へ直線状に延びているため、切除部８１の先端部８２をアーク溶接する際に、これらの案内部により、アーク溶接の溶接棒又は溶接ワイヤ３１の先端部を同じ方向にスライドさせることにより、溶接棒又は溶接ワイヤ３１の先端部を、溶接可能部となっている切除部８１の先端部８２まで到達させて、この先端部８２で位置決めする作業を行えることになり、このため、溶接棒又は溶接ワイヤ３１の先端部のスライド案内作業及び位置決め作業を容易かつ効率的に行える。【０１０２】
また、辺部８１Ｃが延びている方向は、図２で説明した側枠部材５の背面５Ｄの側から正面５Ｃの側への方向であるため、アーク溶接の溶接棒又は溶接ワイヤ３１の先端部を辺部８１Ｃでスライド案内させて切除部８１の先端部８２まで到達させて位置決めする作業を、図６で示した実施形態と同様に、側枠部材５の正面５Ｃ及び背面５Ｄの影響を少なくして容易に行える。【０１０３】
そして、この実施形態でも、溶接可能部となっている切除部８１の先端部８２は、蝶番１０の枠側羽根板１１のうち、裏板８０と対面している対面部分１１Ｂの外輪郭１４の内側の箇所に設けられているため、裏板８０を側枠部材５の裏面５Ｂにアーク溶接で接合したときに、溶接部３２による溶接痕が側枠部材５の表面５Ａに表われることがあっても、この溶接痕を、側枠部材５の表面５Ａに配置される蝶番１０の枠側羽根板１１によって隠すことができる。【０１０４】
図１３は、図１１の一部拡大図であり、図１４は、図１３の平面図である。図１１〜図１４の実施形態では、前述したように、裏板８０が側枠部材５にアーク溶接で接合される前に、覆い部材９０は予め固定部９１で裏板８０に固定配置されているため、覆い部材９０は、裏板８０が側枠部材５にアーク溶接で接合されるときに、このアーク溶接により裏板８０に接合されない。図１３から分かるように、覆い部材９０のボックス部９０Ａ及び突片部９０Ｂ，９０Ｃは、裏板８０の切除部８１に対し、裏板８０の外輪郭８３の内側へ外れた位置に設けられている。このため、図１４に示されているように、アーク溶接の溶接棒又は溶接ワイヤ３１の先端部を切除部８１の先端部８２に係止させることにより、裏板８０を側枠部材５にアーク溶接で接合する作業を行うときに、溶接棒又は溶接ワイヤ３１が側枠部材５や裏板８０に対して直角の姿勢となっても、言い換えると、溶接棒又は溶接ワイヤ３１の向きが側枠部材５や裏板８０の厚さ方向の向きとなっても、この溶接棒又は溶接ワイヤ３１がボックス部９０Ａ及び突片部９０Ｂ，９０Ｃに接触することはなく、これにより、溶接棒又は溶接ワイヤ３１の先端部を切除部８１の先端部８２だけに接触させて、裏板８０と側枠部材５との接合だけ行うことができる。【０１０５】
このため、この実施形態では、アーク溶接による裏板８０と側枠部材５との接合は、溶接熱による溶解がボックス部９０Ａ及び突片部９０Ｂ，９０Ｃに達する前に終了する。【０１０６】
なお、このようにアーク溶接による裏板８０と側枠部材５との接合を、溶接熱による溶解がボックス部９０Ａ及び突片部９０Ｂ，９０Ｃに達する前に終了させることができる理由は、上述したようにボックス部９０Ａ及び突片部９０Ｂ，９０Ｃが、裏板８０の切除部８１に対し、裏板８０の外輪郭８３の内側へ外れた位置に設けられているとともに、この外れ量が、溶接熱による溶解がボックス部９０Ａ及び突片部９０Ｂ，９０Ｃに達するためには充分に長い時間がかかる量になっているからである。このため、裏板８０のための覆い部材９０の突片部９０Ｂ，９０Ｃと、図８等で示した裏板２０のための覆い部材３０の突片部３０Ｂ，３０Ｃとを比較した場合に、突片部９０Ｂ，９０Ｃから切除部８１までの長さは、突片部３０Ｂ，３０Ｃから切除部２１までの長さよりも大きくなっている。【０１０７】
この図１１〜図１４に係る実施形態は、裏板８０に覆い部材９０を固定部９１で固定するための作業と、裏板８０を側枠部材５にアーク溶接で接合するための作業とが、それぞれ別の工場で行われる場合において、有効に採用することができる。すなわち、裏板８０に覆い部材９０を固定部９１で固定する作業を行った後に、この固定作業を行った工場とは別に工場へ裏板８０及び覆い部材９０を送り、この工場において、裏板８０を側枠部材５に溶接棒又は溶接ワイヤ３１によるアーク溶接作業によって接合する。【０１０８】
図１５は、裏板１００を側枠部材５の裏面５Ｂに接合するために裏板１００に設ける接合可能部を、スポット溶接による溶接可能部１０２とした実施形態を示している。この実施形態に係る裏板１００には切除部は設けられておらず、このため、この裏板１００の外輪郭１０３は、上辺部１００Ａと左右の側辺部１００Ｂ，１００Ｃと下辺部１００Ｄにより、四角形の輪郭となっている。また、この実施形態における覆い部材１１０は、図１１〜図１４の実施形態における覆い部材９０と同じ形状、寸法を有し、このため、覆い部材１１０は、ボックス部１１０Ａと、このボックス部１１０Ａの上下に設けられた上下の突片部１１０Ｂ，１１０Ｃとからなり、これらの突片部１１０Ｂ，１１０Ｃの左右長さはボックス部１１０Ａの左右の両側面の間隔よりも小さい。【０１０９】
また、裏板１００が側枠部材５にスポット溶接で接合される前に、覆い部材１１０は突片部１１０Ｂ，１１０Ｃにおいて、図１１及び図１２で示した固定部９１と同様な固定部１０１により裏板１００に固定配置されている。【０１１０】
裏板１００のうち、覆い部材１１０の突片部１１０Ｂ，１１０Ｃによって覆われていない箇所は、２個の溶接可能部１０２となっている。これらの溶接可能部１０２は、スポット溶接が行われる溶接可能部である。【０１１１】
すなわち、図１５のＳ１６−Ｓ１６線断面図である図１６に示されているように、溶接可能部１０２と対応する裏板１００の箇所と側枠部材５の箇所とに、スポット溶接の溶接電極１２０，１２１を押圧し、これらの溶接電極１２０，１２１間に通電することにより、裏板１００を側枠部材５にスポット溶接で接合する。【０１１２】
この実施形態でも、図１５に示されているように、溶接可能部１０２は、蝶番１０の枠側羽根板１１のうち、裏板８０と対面している対面部分１１Ｂの外輪郭１４の内側の箇所に設けられているため、裏板８０を側枠部材５の裏面５Ｂにスポット溶接で接合したときに、側枠部材５の表面５Ａに表われる溶接痕を、側枠部材５の表面５Ａに配置される蝶番１０の枠側羽根板１１によって隠すことができる。【０１１３】
なお、この実施形態のように、接合可能部である溶接可能部をスポット溶接による溶接可能部とする場合には、側枠部材５と裏板と覆い部材の三者を同時にスポット溶接で接合してもよい。【０１１４】
また、以上説明したそれぞれの実施形態において、図面で示されているそれぞれの実施形態における裏板２０，４０，６０，８０，１００は、これらの裏板２０，４０，６０，８０，１００の外輪郭２３，４３，６３，８３，１０３を形成している４個の辺部のうち、３個の辺部が、蝶番１０の枠側羽根板１１における対面部分１１Ｂの外輪郭１４の外側の位置にあるものとなっていたが、これらの辺部のうち、１個又は２個又は全部の辺部が外輪郭１４と一致する位置又は外輪郭１４の内側の位置にある裏板についても、本発明を適用することができる。
【産業上の利用可能性】
【０１１５】
本発明は、玄関ドア等のドアを開閉自在とするために用いられる蝶番等の建材用部品を、ドアで開閉される開口部用外枠等の建材に裏板を用いて結合する際に利用することができる。
【図１】
2013146209.tif 000003
【図２】
2013146209.tif 000004
【図３】
2013146209.tif 000005
【図４】
2013146209.tif 000006
【図５】
2013146209.tif 000007
【図６】
2013146209.tif 000008
【図７】
2013146209.tif 000009
【図８】
2013146209.tif 000010
【図９】
2013146209.tif 000011
【図１０】
2013146209.tif 000012
【図１１】
2013146209.tif 000013
【図１２】
2013146209.tif 000014
【図１３】
2013146209.tif 000015
【図１４】
2013146209.tif 000016
【図１５】
2013146209.tif 000017
【図１６】
2013146209.tif 000018
【国際調査報告】
2013146209.tif 000019
2013146209.tif 000020
2013146209.tif 000021
2013146209.tif 000022
2013146209.tif 000023
2013146209.tif 000024
2013146209.tif 000025
2013146209.tif 000026
2013146209.tif 000027
2013146209.tif 000028
2013146209.tif 000029